(57)【要約】【課題】カード取引にかかる操作が煩雑になるのを防止し、且つセキュリティの向上が図れる技術を提供する。【解決手段】第１の決済処理機能部２１は、挿入口に挿入されたカード５０がＩＣカードでなければ、カード５０の磁気ストライプ５１から読み取った第１のカードデータを用いた第１の決済処理を行う。第２の決済処理機能部２２は、挿入口に挿入されたカード５０がＩＣカードであれば、カード５０のＩＣから読み取った第１のカードデータ、および第２のカードデータを用いた第２の決済処理を行う。第３の決済処理機能部２３は、挿入口に挿入されたカード５０がＩＣカードであっても、カード５０のＩＣから第２のカードデータを読み取っていなければ、カード５０のＩＣから読み取った第１のカードデータを用いた第３の決済処理を行う。【選択図】図４
2017162343.tif 000002
【特許請求の範囲】
【請求項１】
挿入口に挿入されたカードをカード搬送路に沿って搬送するカード搬送部と、
前記カード搬送部が前記カード搬送路に沿って搬送しているカードに設けられている磁気ストライプに記録されている第１のカードデータを読み取る磁気データ読取部と、
前記カード搬送部がＩＣデータ読取位置に搬送したカードに設けられているＩＣに記録されている前記第１のカードデータおよび第２のカードデータを読み取るＩＣデータ読取部と、
前記挿入口に挿入されたカードが、ＩＣが設けられているＩＣカードであるかどうかを判定するカード種別判定部と、
前記カード種別判定部によって、前記挿入口に挿入されたカードがＩＣカードでないと判定された場合、前記磁気データ読取部が前記第１のカードデータをカードの磁気ストライプから読み取っていると、カードの磁気ストライプから読み取った前記第１のカードデータを用いた第１の決済処理を行う第１の決済処理部と、
前記カード種別判定部によって、前記挿入口に挿入されたカードがＩＣカードであると判定された場合、前記ＩＣデータ読取部が前記第１のカードデータ、および前記第２のカードデータをカードのＩＣから読み取っていると、カードのＩＣから読み取った前記第１のカードデータ、および前記第２のカードデータを用いた第２の決済処理を行う第２の決済処理部と、
前記カード種別判定部によって、前記挿入口に挿入されたカードがＩＣカードであると判定された場合、前記ＩＣデータ読取部が前記第１のカードデータをカードのＩＣから読み取っているが、前記第２のカードデータをカードのＩＣから読み取っていなければ、カードのＩＣから読み取った前記第１のカードデータを用いた第３の決済処理を行う第３の決済処理部と、を備えたカード処理ユニット。
【請求項２】
前記第１の決済処理部は、前記カード種別判定部によって、前記挿入口に挿入されたカードがＩＣカードであると判定され、且つ前記ＩＣデータ読取部がカードのＩＣにアクセスできたが、前記第１のカードデータをカードのＩＣから読み取っていない場合、前記磁気データ読取部が前記第１のカードデータをカードの磁気ストライプから読み取っていれば、カードの磁気ストライプから読み取った前記第１のカードデータを用いた第１の決済処理を行う、請求項１に記載のカード処理ユニット。
【請求項３】
前記挿入口に挿入されたカードについて、前記磁気データ読取部がカードの磁気ストライプから読み取った前記第１のカードデータと、前記ＩＣデータ読取部がカードのＩＣから読み取った前記第１のカードデータとを照合し、該カードが適正であるかどうかを判定する不正カード判定部を備えた、請求項１、または２に記載のカード処理ユニット。
【請求項４】
前記不正カード判定部によってカードが適正でないと判定されると、その旨を出力する通知部を備えた請求項３に記載のカード処理ユニット。
【請求項５】
前記カード種別判定部によって、前記挿入口に挿入されたカードがＩＣカードであると判定された場合、前記ＩＣデータ読取部が該カードのＩＣにアクセスできなければ、決済処理を禁止する決済処理禁止部を備えた請求項１〜４のいずれかに記載のカード処理ユニット。
【請求項６】
前記不正カード判定部によってカードが適正でないと判定された場合、決済処理を禁止する決済処理禁止部を備えた請求項３、または４に記載のカード処理ユニット。
【請求項７】
前記決済処理禁止部は、前記カード種別判定部によって、前記挿入口に挿入されたカードがＩＣカードであると判定された場合、前記ＩＣデータ読取部が該カードのＩＣにアクセスできなければ、決済処理を禁止する、請求項６に記載のカード処理ユニット。
【請求項８】
挿入口に挿入されたカードをカード搬送路に沿って搬送するカード搬送部、前記カード搬送部が前記カード搬送路に沿って搬送しているカードに設けられている磁気ストライプに記録されている第１のカードデータを読み取る磁気データ読取部、および、前記カード搬送部がＩＣデータ読取位置に搬送したカードに設けられているＩＣに記録されている前記第１のカードデータおよび第２のカードデータを読み取るＩＣデータ読取部と、を備えるカード処理ユニットのコンピュータが、
挿入口に挿入されたカードが、ＩＣが設けられているＩＣカードであるかどうかを判定するカード種別判定ステップと、
前記カード種別判定ステップで、前記挿入口に挿入されたカードがＩＣカードでないと判定した場合、前記磁気データ読取部が前記第１のカードデータをカードの磁気ストライプから読み取っていると、カードの磁気ストライプから読み取った前記第１のカードデータを用いた第１の決済処理を行う第１の決済処理ステップと、
前記カード種別判定ステップで、前記挿入口に挿入されたカードがＩＣカードであると判定した場合、前記ＩＣデータ読取部が前記第１のカードデータ、および前記第２のカードデータをカードのＩＣから読み取っていると、カードのＩＣから読み取った前記第１のカードデータ、および前記第２のカードデータを用いた第２の決済処理を行う第２の決済処理ステップと、
前記カード種別判定ステップで、前記挿入口に挿入されたカードがＩＣカードであると判定した場合、前記ＩＣデータ読取部が前記第１のカードデータをカードのＩＣから読み取っているが、前記第２のカードデータをカードのＩＣから読み取っていなければ、カードのＩＣから読み取った前記第１のカードデータを用いた第３の決済処理を行う第３の決済処理ステップと、を実行する決済方法。
【請求項９】
挿入口に挿入されたカードをカード搬送路に沿って搬送するカード搬送部、前記カード搬送部が前記カード搬送路に沿って搬送しているカードに設けられている磁気ストライプに記録されている第１のカードデータを読み取る磁気データ読取部、および、前記カード搬送部がＩＣデータ読取位置に搬送したカードに設けられているＩＣに記録されている前記第１のカードデータおよび第２のカードデータを読み取るＩＣデータ読取部と、を備えるカード処理ユニットのコンピュータに、
挿入口に挿入されたカードが、ＩＣが設けられているＩＣカードであるかどうかを判定するカード種別判定ステップと、
前記カード種別判定ステップで、前記挿入口に挿入されたカードがＩＣカードでないと判定した場合、前記磁気データ読取部が前記第１のカードデータをカードの磁気ストライプから読み取っていると、カードの磁気ストライプから読み取った前記第１のカードデータを用いた第１の決済処理を行う第１の決済処理ステップと、
前記カード種別判定ステップで、前記挿入口に挿入されたカードがＩＣカードであると判定した場合、前記ＩＣデータ読取部が前記第１のカードデータ、および前記第２のカードデータをカードのＩＣから読み取っていると、カードのＩＣから読み取った前記第１のカードデータ、および前記第２のカードデータを用いた第２の決済処理を行う第２の決済処理ステップと、
前記カード種別判定ステップで、前記挿入口に挿入されたカードがＩＣカードであると判定した場合、前記ＩＣデータ読取部が前記第１のカードデータをカードのＩＣから読み取っているが、前記第２のカードデータをカードのＩＣから読み取っていなければ、カードのＩＣから読み取った前記第１のカードデータを用いた第３の決済処理を行う第３の決済処理ステップと、を実行させる決済プログラム。
【発明の詳細な説明】
【技術分野】
【０００１】
この発明は、カード取引の決済処理にかかる技術に関する。
【背景技術】
【０００２】
従来、取引金額を現金ではなく、カード（クレジットカードやデビットカード等）で決済するカード取引が店舗や自動販売機で行われている。また、カードには、磁気ストライプや、ＩＣが設けられている。また、カードには、磁気ストライプだけが設けられているものや、ＩＣだけが設けられているものや、磁気ストライプ、およびＩＣが設けられているものがある。さらに、ＩＣには、接触式と非接触式とがある。接触式のＩＣが設けられたカードの表面には、ＩＣ接点が形成されている。非接触式のＩＣが設けられたカードは、無線通信機能を有する。このように、様々な種類のカードが、取引金額の決済に使用される。
【０００３】
特許文献１には、カード取引に使用するカードの種別を意識することなく、カード取引が行えるカード処理装置が記載されている。具体的には、特許文献１のカード処理装置は、挿入口に挿入されたカードの搬送路に沿って、カードに設けられている非接触式ＩＣとの間で無線通信を行う無線通信エリア、カードに設けられている磁気ストライプに当接させる磁気ヘッド、およびカードに設けられている接触式ＩＣのＩＣ接点に電気的に接続する接点端子を、この順に並べた構成である。したがって、特許文献１のカード処理装置は、挿入口に挿入されたカードが、磁気カード、接触式ＩＣカード、非接触式ＩＣカード、またはこれらの複合カードのいずれであっても、磁気ストライプやＩＣに記録されているカードデータを読み取って決済処理を行うことができる。
【０００４】
一方で、偽造カード等を使用した不正なカード取引を防止し、カード取引のセキュリティの向上に対する要望がある。不正なカード取引の多くは、スキミング等の不正な行為によって取得した他人のクレジットカードの磁気データを、磁気ストライプにコピーした偽造カードを使用したものである。一般に、磁気ストライプに記録されている磁気データは、ＩＣに記録されているＩＣデータに比べて簡単に書き換えることができる。
【０００５】
特許文献１のカード処理装置は、カード取引のセキュリティの観点から、ＩＣが設けられているカードであれば、磁気ストライプに記録されているカードデータ（磁気データ）を読み取ることができても、ＩＣに記録されているカードデータ（ＩＣデータ）を読み取ることができなければ、取引金額の決済処理を行わない構成である。
【０００６】
なお、カード取引のセキュリティの向上を図る目的で、最近では、カードにＩＣ（接触式、または非接触式のＩＣ）を設けることが推奨されている。
【先行技術文献】
【特許文献】
【０００７】
【特許文献１】特開２００３−１９６６１８号公報
【発明の概要】
【発明が解決しようとする課題】
【０００８】
しかしながら、ＩＣからのカードデータの読み取りにおいて、一部のカードデータであっても読み取りに失敗すると、取引金額の決済処理を行わない構成であると、ノイズの発生等によって、ＩＣから一部のカードデータが読み取れなかったときも、取引金額の決済処理が行われない。この場合、カード取引をやり直すことになり、カード取引にかかる操作が煩雑になる。
【０００９】
一方、ＩＣからのカードデータの読み取りに失敗しても、磁気ストライプに記録されているカードデータを読み取っていれば、この磁気ストライプに記録されているカードデータを用いて決済処理を行う構成に変更するだけでは、カード取引のセキュリティを低下させる恐れが高い。例えば、カードに設けられているＩＣを故意に破損させ、実質的にＩＣが設けられていない磁気カードとして不正に使用する行為を制限することができない。
【００１０】
この発明の目的は、カード取引にかかる操作が煩雑になるのを防止し、且つカード取引のセキュリティの向上が図れる技術を提供することにある。
【課題を解決するための手段】
【００１１】
この発明のカード処理ユニットは、上記目的を達するために、以下のように構成している。
【００１２】
カード搬送部は、挿入口に挿入されたカードをカード搬送路に沿って搬送する。磁気データ読取部は、カード搬送部がカード搬送路に沿って搬送しているカードに設けられている磁気ストライプに記録されている第１のカードデータを読み取る。また、ＩＣデータ読取部は、カード搬送部がＩＣデータ読取位置に搬送したカードに設けられているＩＣに記録されている第１のカードデータおよび第２のカードデータを読み取る。第１のカードデータは、カード番号やカードの有効期限等を示すデータ（カード識別データと言う。）である。第２のデータは、ＣＶＭ（Cardholder Verification Method）、外貨コード、国コード、ブランドＩＤ、前回取引金額等を示すセキュリティデータである。
【００１３】
カード種別判定部は、挿入口に挿入されたカードが、ＩＣが設けられているＩＣカードであるかどうかを判定する。カード種別判定部がＩＣカードでないと判定するカードは、磁気ストライプが設けられ、ＩＣが設けられていないカード（以下、ＩＣ無し磁気カードと言う。）である。また、カード種別判定部がＩＣカードであると判定するカードは、ＩＣが設けられ、磁気ストライプが設けられていないカード（以下、磁気無しＩＣカードと言う。）や、磁気ストライプ、およびＩＣが設けられているカード（以下、磁気ＩＣ複合カードと言う。）である。なお、ＩＣは、接触式であってもよいし、非接触式であってもよい。
【００１４】
第１の決済処理部は、カード種別判定部によって、前記挿入口に挿入されたカードがＩＣカードでないと判定された場合、磁気データ読取部が第１のカードデータをカードの磁気ストライプから読み取っていると、カードの磁気ストライプから読み取った第１のカードデータを用いた第１の決済処理を行う。すなわち、第１の決済処理部は、挿入口に挿入されたカードがＩＣ無し磁気カードであり、且つこのカードの磁気ストライプに記録されている第１のカードデータの読み取りに失敗していなければ、磁気ストライプから読み取った第１のカードデータを用いて取引金額の決済処理を行う。
【００１５】
第２の決済処理部は、カード種別判定部によって、挿入口に挿入されたカードがＩＣカードであると判定された場合、ＩＣデータ読取部が第１のカードデータ、および第２のカードデータをカードのＩＣから読み取っていると、カードのＩＣから読み取った第１のカードデータ、および第２のカードデータを用いた第２の決済処理を行う。すなわち、第２の決済処理部は、挿入口に挿入されたカードが磁気無しＩＣカード、または磁気ＩＣ複合カードであり、且つこのカードのＩＣに記録されている第１のカードデータ、および第２のカードデータの読み取りに失敗していなければ、ＩＣから読み取った第１のカードデータ、および第２のカードデータを用いて取引金額の決済処理を行う。
【００１６】
また、第３の決済処理部は、カード種別判定部によって、挿入口に挿入されたカードがＩＣカードであると判定された場合、ＩＣデータ読取部が第１のカードデータをカードのＩＣから読み取っているが、第２のカードデータをカードのＩＣから読み取っていなければ、カードのＩＣから読み取った第１のカードデータを用いた第３の決済処理を行う。すなわち、第３の決済処理部は、挿入口に挿入されたカードが磁気無しＩＣカード、または磁気ＩＣ複合カードであり、ノイズの発生等によって、ＩＣからの第２のカードデータの読み取りに失敗しても、第１のカードデータの読み取りに失敗していなければ、ＩＣから読み取った第１のカードデータを用いて取引金額の決済処理を行う。これにより、カード取引にかかる操作が煩雑になるのを防止し、且つカード取引のセキュリティの向上が図れる。
【００１７】
また、第１の決済処理部は、カード種別判定部によって、挿入口に挿入されたカードがＩＣカードであると判定され、且つＩＣデータ読取部がカードのＩＣにアクセスできたが、第１のカードデータをカードのＩＣから読み取っていない場合、磁気データ読取部が第１のカードデータをカードの磁気ストライプから読み取っていれば、カードの磁気ストライプから読み取った第１のカードデータを用いた第１の決済処理を行う構成にしてもよい。この場合、カード種別判定部によって、挿入口に挿入されたカードがＩＣカードであると判定された場合、ＩＣデータ読取部が該カードのＩＣにアクセスできなければ、決済処理を禁止する決済処理禁止部を備えるのが好ましい。
【００１８】
このように構成すれば、ＩＣにアクセスできなかった場合、すなわちＩＣが破損している可能性が高い場合、カードの磁気ストライプから読み取った第１のデータを用いた第１の決済処理が行われることはないので、カード取引のセキュリティを低下させることがない。一方、ＩＣにアクセスできた場合、すなわちＩＣが破損していない場合、カードの磁気ストライプから読み取った第１のデータを用いた第１の決済処理を行うので、カード取引にかかる操作が煩雑になるのを一層防止できる。
【００１９】
また、挿入口に挿入されたカードについて、磁気データ読取部がカードの磁気ストライプから読み取った第１のカードデータと、ＩＣデータ読取部がカードのＩＣから読み取った第１のカードデータとを照合し、該カードが適正であるかどうかを判定する不正カード判定部を備えてもよい。このように構成すれば、カードデータが書き換えられた不正なカードの検出が行える。
【００２０】
また、不正カード判定部によってカードが適正でないと判定されると、その旨を出力する通知部を備え、カードデータが書き換えられた不正なカードの検出をカード会社や係員等に通知するようにしてもよい。さらに、不正カード判定部によってカードが適正でないと判定された場合、決済処理を禁止する構成にするのが好ましい。
【発明の効果】
【００２１】
この発明によれば、カード取引にかかる操作が煩雑になるのを防止し、且つセキュリティの向上が図れる。
【図面の簡単な説明】
【００２２】
【図１】カード処理ユニットの主要部の構成を示すブロック図である。
【図２】図２（Ａ）は、カード搬送路のカード搬送面に対して略垂直な方向からみた平面図であり、図２（Ｂ）は、図２（Ａ）におけるＡ−Ａ方向の断面図である。
【図３】磁気ＩＣ複合カードを示す概略図である。
【図４】制御部の機能ブロック図である。
【図５】カード処理ユニットの動作を示すフローチャートである。
【図６】カード処理ユニットの動作を示すフローチャートである。
【発明を実施するための形態】
【００２３】
以下、この発明の実施形態であるカード処理ユニットについて説明する。
【００２４】
図１は、この例にかかるカード処理ユニットの主要部の構成を示すブロック図である。この例にかかるカード処理ユニット１は、制御部２と、カード搬送部３と、磁気データ読取部４と、ＩＣデータ読取部５と、入出力部６と、通信部７と、を備えている。カード処理ユニット１は、クレジット取引の決済処理を行う。取引金額の決済には、磁気ストライプが設けられ、ＩＣが設けられていないクレジットカード（以下、ＩＣ無し磁気カードと言う。）、ＩＣが設けられ、磁気ストライプが設けられていないクレジットカード（以下、磁気無しＩＣカードと言う。）、および磁気ストライプ、およびＩＣが設けられているクレジットカード（以下、磁気ＩＣ複合カードと言う。）の３種類のカードが使用できる。また、ここでは、磁気無しＩＣカード、および磁気ＩＣ複合カードについては、ＩＣ接点がカード表面に形成された接触式のＩＣカードとして説明する。
【００２５】
なお、以下の説明では、上記３種類のクレジットカードを区別しない場合、単にカードと言う。
【００２６】
制御部２は、カード処理ユニット１本体各部の動作を制御する。また、制御部２は、この発明で言う第１の決済処理部、第２の決済処理部、第３の決済処理部、カード種別判定部、不正カード判定部、および決済処理禁止部に相当する構成を備えている。この制御部２が、この発明で言う決済処理方法を行うコンピュータを備える。また、この発明で言う決済処理プログラムは、制御部２が備えるコンピュータに各ステップを実行させる。
【００２７】
カード搬送部３は、挿入口に挿入されたカードを、カード搬送路に沿って搬送する。図２は、カード搬送路を示す概略図である。図２（Ａ）は、カード搬送路のカード搬送面に対して略垂直な方向からみた平面図であり、図２（Ｂ）は、図２（Ａ）におけるＡ−Ａ方向の断面図である。図２における左右方向が、カードの搬送方向である。カード搬送部３は、図２の左側に形成されている挿入口に挿入されたカードを搬送する。また、図２は、後述する磁気ヘッド４ａ、および接点端子５ａを示している。カード搬送部３は、挿入口と後述するＩＣ読取位置との間でカードを双方向に搬送する。
【００２８】
また、図３は、カードの概略図である。図３は、磁気ＩＣ複合カードを示している。カード５０の表面には、磁気ストライプ５１、およびＩＣ接点５２が設けられている。
【００２９】
なお、カード５０が、ＩＣ無し磁気カードである場合、磁気ストライプ５１は設けられているが、ＩＣ接点５２は設けられていない。また、カード５０が、磁気無しＩＣカードである場合、磁気ストライプ５１は設けられていないが、ＩＣ接点５２は設けられている。ＩＣ（不図示）は、カード５０の内部に設けられ、ＩＣ接点５２と電気的に接続されている。
【００３０】
磁気データ読取部４は、磁気ヘッド４ａを有する。磁気データ読取部４は、カード搬送部３によって搬送されているカード５０に設けられている磁気ストライプ５１に記録されている磁気データを読み取り、取得する。また、磁気データ読取部４は、カード搬送部３によって搬送されているカード５０に設けられている磁気ストライプ５１に磁気データを記録する。磁気ヘッド４ａは、カード搬送部３によって搬送されているカード５０に設けられている磁気ストライプ５１に当接するように取り付けられている。磁気データ読取部４は、カード搬送部３が図２における左側から右側にカード５０を搬送しているときに、磁気ストライプ５１に記録されている磁気データを読み取り、取得する。また、磁気データ読取部４は、カード搬送部３が図２における右側から左側にカード５０を搬送しているときに、磁気ストライプ５１に対して磁気データを記録する。磁気データ読取部４は、カード搬送部３が図２における左側から右側にカード５０を搬送しているときに読み取った磁気データを、カード搬送部３が図２における右側から左側にカード５０を搬送しているときに磁気ストライプ５１に記録する。すなわち、カード５０の磁気ストライプ５１に記録されている磁気データが、磁気データ読取部４によって書き換えられることはない。
【００３１】
ＩＣデータ読取部５は、接点端子５ａを有する。ＩＣデータ読取部５は、接点端子５ａを、カード搬送部３によってＩＣ読取位置に搬送されたカード５０に設けられているＩＣ接点５２に電気的に接続し、カード５０に設けられているＩＣに記録されているＩＣデータを読み取り、取得する。ＩＣデータ読取部５は、カード５０に設けられているＩＣに対して、ＩＣデータの記録を行う。接点端子５ａは、ソレノイド等によって、カード搬送部３によって搬送されているカード５０に対して接離可能に取り付けられている。接点端子５ａは、通常、カード搬送部３によって搬送されているカード５０に当接しない位置に保持されており、カード搬送部３によってＩＣ読取位置に搬送されたカード５０に設けられているＩＣに対して、ＩＣデータの読み取りや、ＩＣデータの書き込みを行うときに、一時的にカード５０のＩＣ接点５２に当接する位置（電気的に接続される位置）に駆動される。ＩＣ読取位置は、接点端子５ａをカード５０のＩＣ接点５２に当接させ、カード５０に設けられているＩＣと、ＩＣデータ読取部５とを電気的に接続できる位置である。
【００３２】
ここで、カード５０に記録されている磁気データと、ＩＣデータとについて簡単に説明する。磁気データには、カード番号、カードの有効期限等を示すカード識別データ（この発明で言う第１のカードデータに相当する。）に加え、ＩＣが設けられているかどうかを示すデータが含まれている。ＩＣデータには、磁気データと同様に、カード番号、カードの有効期限等を示すカード識別データと、ＣＶＭ（Cardholder Verification Method）、外貨コード、国コード、ブランドＩＤ、前回取引金額等を示すセキュリティデータ（この発明で言う第２のカードデータに相当する。）が含まれている。
【００３３】
なお、磁気データや、ＩＣデータには、上記以外のデータも記録されているが、これらのデータについては、セキュリティの観点から、ここでは説明を省略する。
【００３４】
入出力部６は、上位装置やＰＩＮパッド等と接続されている。上位装置は、ＰＯＳ端末や、券売機等、このカード処理ユニット１を適用する装置である。上位装置が、取引金額を含む取引データをカード処理ユニット１に入力する。カード処理ユニット１は、入力された取引データについて、取引金額の決済の可否についての認証処理（決済処理）を行い、その結果を上位装置に通知する。上位装置は、カード処理ユニット１から通知された結果に基づき、取引処理（決済可の場合）、または取引中止処理（決済不可の場合）を行う。また、ＰＩＮパッドは、カード所有者にＰＩＮ番号（所謂、暗証番号）を入力させる入力デバイスである。ＰＩＮ番号は、カード使用者がカード所有者であることの確認に用いられる。
【００３５】
通信部７は、クレジット取引にかかる取引金額の決済の認証要求を行うカード会社の認証センタとの通信を行う。カード処理ユニット１は、例えばＣＡＦＩＳ（Credit And Finance Information Switching system）を介して、カード会社の認証センタと通信する。また、通信部７は、この発明で言う通知部に相当する構成も備えている。
【００３６】
次に、制御部２の機能構成について説明する。図４は、制御部の機能ブロック図である。制御部２は、第１の決済処理機能部２１と、第２の決済処理機能部２２と、第３の決済処理機能部２３と、カード種別判定機能部２４と、不正カード判定機能部２５と、決済処理禁止機能部２６と、を備えている。
【００３７】
第１の決済処理機能部２１は、カード５０の磁気ストライプ５１から読み取ったカード識別データを用いた決済処理（この発明で言う、第１の決済処理）を行う。
【００３８】
第２の決済処理機能部２２は、カード５０のＩＣから読み取ったカード識別データ、およびセキュリティデータを用いた決済処理（この発明で言う、第２の決済処理）を行う。
【００３９】
第３の決済処理機能部２３は、カード５０のＩＣから読み取ったカード識別データを用いた決済処理（この発明で言う、第３の決済処理）を行う。
【００４０】
カード種別判定機能部２４は、挿入口に挿入されたカード５０がＩＣカードであるかどうかを判定する。ここで言うＩＣカードとは、ＩＣが設けられているカードであり、この例では磁気無しＩＣカード、および磁気ＩＣ複合カードの２つである。カード種別判定機能部２４は、磁気データ読取部４がカード５０の磁気データを取得していれば、この磁気データに含まれているＩＣが設けられているかどうかを示すデータによって、ＩＣ無し磁気カードであるか、磁気ＩＣ複合カードであるかを判定する。また、カード種別判定機能部２４は、磁気データ読取部４がカード５０の磁気データを取得していなければ、接点端子５ａとＩＣ接点５２との電気的接続の有無によって、ＩＣカードであるかどうかを判定する。
【００４１】
なお、カード種別判定機能部２４は、磁気データ読取部４がカード５０の磁気データを取得していない場合、磁気ストライプ５１が設けられていないカード５０（すなわち、磁気無しＩＣカード）であると判定してもよいが、磁気データの読み取りに失敗している場合もあるので、この例では磁気無しＩＣカードであると判定しない構成にしている。
【００４２】
不正カード判定機能部２５は、磁気データに含まれているカード識別データと、ＩＣデータに含まれているカード識別データとを照合し、一致しているかどうかにより、偽造された不正カードであるかどうかを判定する。不正カード判定機能部２５は、磁気ＩＣ複合カードについて、偽造された不正カードであるかどうかを判定し、ＩＣ無し磁気カードや磁気無しＩＣカードについては、偽造された不正カードであるかどうかを判定しない。
【００４３】
決済処理禁止機能部２６は、不正カード判定機能部２５によって、挿入口に挿入されたカード５０が偽造された不正カードであると判定された場合、取引金額の決済処理を禁止する。また、決済処理禁止機能部２６は、カード種別判定機能部２４によって、挿入口に挿入されたカード５０がＩＣカードであると判定され、且つカード５０のＩＣにアクセスできなかった場合、取引金額の決済処理を禁止する。さらに、決済処理禁止機能部２６は、磁気データ読取部４、およびＩＣデータ読取部５がともに、カード識別データを取得できなかった場合も、取引金額の決済処理を禁止する。
【００４４】
以下のこの例にかかるカード処理ユニット１の動作について説明する。図５、および図６は、カード処理ユニットの動作を示すフローチャートである。
【００４５】
カード処理ユニット１は、挿入口にカード５０が挿入されたことを検知すると、このカード５０の搬送を開始する（ｓ１、ｓ２）。カード処理ユニット１は、挿入口周辺に設けたセンサ（不図示）により、挿入口にカード５０が挿入されたことを検知する。カード搬送部３は、挿入口に挿入されたカード５０を、ＩＣ読取位置に搬送する。
【００４６】
磁気データ読取部４は、カード搬送路に沿ってＩＣ読取位置に搬送されているカード５０の磁気ストライプ５１に記録されている磁気データの読み取り、取得する（ｓ３）。カード搬送部３は、カード５０がＩＣ読取位置に達すると、カード５０の搬送を停止する（ｓ４、５）。磁気データ読取部４は、カード５０が挿入口からＩＣ読取位置に搬送されるまでの間に、このカード５０の磁気ストライプ５１に記録されている磁気データを読み取ることができる。
【００４７】
カード処理ユニット１は、カード搬送位置に搬送したカード５０について、ＩＣが設けられているカード５０（磁気無しＩＣカード、または磁気ＩＣ複合カード）であるかどうかを判定する（ｓ６）。ｓ６にかかる判定は、カード種別判定機能部２４において行われる。ｓ６では、磁気データ読取部４がｓ３で取得した磁気データに含まれているＩＣが設けられているかどうかを示すデータによって、ＩＣ無し磁気カードであるか、磁気ＩＣ複合カードであるかを判定する。また、カード種別判定機能部２４は、磁気データ読取部４で磁気データが取得できていない場合、接点端子５ａを駆動し、接点端子５ａとＩＣ接点５２との電気的接続の有無によって、ＩＣカードであるかどうかを判定する。
【００４８】
磁気データ読取部４が磁気データを取得できない状況としては、挿入口に挿入されたカードが磁気無しＩＣカードであった場合や、磁気ストライプ５１からの磁気データの読み取りに失敗した場合である。
【００４９】
なお、ｓ６では、ｓ３で磁気データ読取部４が取得した磁気データに含まれているＩＣが設けられているかどうかを示すデータと、接点端子５ａとＩＣ接点５２との電気的接続の有無と、によってＩＣカードであるかどうかを判定してもよい。
【００５０】
カード処理ユニット１は、ｓ６でＩＣカードでないと判定すると（ＩＣ無し磁気カードであると判定すると）、磁気データ読取部４が磁気データ（カード識別データ）を取得しているかどうかを判定する（ｓ７）。カード処理ユニット１は、磁気データ読取部４が磁気データを取得していれば、第１の決済処理を行う（ｓ８）。ｓ８にかかる第１の決済処理は、第１の決済処理機能部２１が行う。第１の決済処理機能部２１は、上位装置から入力された取引金額を含む取引データと、磁気データ読取部４が取得した磁気データに含まれているカード識別データとを含む取引金額の決済の認証要求をカード会社の認証センタに送信する。カード会社の認証センタとの通信は、通信部７において行われる。
【００５１】
カード会社の認証センタは、送信されてきた取引金額の決済の認証要求について、決済の可否を判定した認証結果をカード処理ユニット１に返信する。第１の決済処理機能部２１は、カード会社から送られてきた認証結果を上位装置に入力する。カード処理ユニット１は、通信部７で受信した認証結果を、入出力部６において上位装置に入力する。
【００５２】
カード処理ユニット１は、第１の決済処理が完了すると、ＩＣ読取位置にあるカード５０を、カード搬送部３によって挿入口に搬送することで、このカード５０を利用者に返却し（ｓ９）、本処理を終了する。
【００５３】
なお、上位装置は、カード処理ユニット１から通知された認証結果に応じて、取引を処理する。
【００５４】
また、カード処理ユニット１は、磁気データ読取部４が磁気データを取得していなければ、エラー処理を行い（ｓ１１）、本処理を終了する。ｓ１１では、上位装置に対して、決済不可を通知するとともに、ＩＣ読取位置にあるカード５０を、カード搬送部３によって挿入口に搬送する。
【００５５】
また、カード処理ユニット１は、カード種別判定機能部２４がｓ６でＩＣカードであると判定すると、ＩＣデータ読取部５がカードに設けられているＩＣにアクセスできたかどうかを判定する（ｓ１０）。ｓ１０では、ＩＣデータ読取部５がカードに設けられているＩＣに対してアクセスコマンドを入力し、このアクセスコマンドに対する応答があれば、ＩＣにアクセスできたと判定する。言い換えれば、入力したアクセスコマンドに対する応答がなければ、ＩＣにアクセスできないと判定する。なお、このとき、カード５０のＩＣ接点５２と、接点端子５ａとは電気的に接続されている。
【００５６】
カード処理ユニット１は、ｓ１０でＩＣにアクセスできないと判定されると、決済処理禁止機能部２６が決済処理を禁止する。具体的には、カード処理ユニット１は、ｓ１１でエラー処理を行い、本処理を終了する。ｓ１０でＩＣにアクセスできない理由は、ＩＣが破損している可能性が高い。また、この場合、ＩＣが故意に破損された場合も考えられる。このため、カード処理ユニット１は、カード種別判定機能部２４によってＩＣカードであると判定されたとき、ＩＣにアクセスできなければ、磁気データ読取部４がカード５０の磁気ストライプ５１から磁気データ（カード識別データ）を取得しているかどうかにかかわらず、決済処理を禁止する。これにより、カード処理ユニット１は、カード取引のセキュリティを低下させるのを抑えている。
【００５７】
また、カード処理ユニット１は、ｓ１０でＩＣにアクセスできたと判定されると、ＩＣデータ読取部５においてＩＣデータの読み取りを行い、ＩＣデータを取得する（ｓ１２）。カード処理ユニット１は、ｓ１２のＩＣデータの読み取りでカード識別データ（ＩＣに記録されているカード識別データ）が取得できたかどうかを判定する（ｓ１３）。カード処理ユニット１は、ｓ１３でカード識別データが取得できていないと判定すると、ｓ８で第１の決済処理を行い、ｓ９でカードを所有者に返却する。
【００５８】
ｓ１２のＩＣデータの読み取りでカード識別データが取得できていない理由は、ノイズの発生等によって、ＩＣからのデータの読み取りに失敗していると考えられる。なお、ＩＣが破損していないことは、ｓ１０ですでに確認されている。
【００５９】
カード処理ユニット１は、ｓ１３でＩＣからカード識別データが取得できていないと判定すると、ｓ７以降の処理を実行する。すなわち、カード処理ユニット１は、磁気データ読取部４がカード５０の磁気ストライプ５１から磁気データ（カード識別データ）を取得していれば、第１の決済処理を行う。このように、カード処理ユニット１は、ＩＣデータ読取部５がノイズの発生等によって、カード５０のＩＣからカード識別データが取得できなくても、磁気データ読取部４がカード５０の磁気ストライプ５１から磁気データを取得していれば、決済処理を禁止するのではなく、第１の決済処理を実行する。したがって、カード取引にかかる操作が煩雑になるのを防止できる（決済処理が中止される頻度を抑えられる。）。
【００６０】
また、カード処理ユニット１は、ｓ１３でＩＣからカード識別データが取得できたと判定すると、磁気ストライプ５１から磁気データ（カード識別データ）を取得しているかどうかを判定する（ｓ１４）。カード処理ユニット１は、ｓ１４で磁気データが取得できていないと判定すると、カード５０が磁気無しＩＣカードで有ると判断し、後述するｓ１６に進む。
【００６１】
一方、カード処理ユニット１は、ｓ１４で磁気データが取得できている判定すると、磁気ストライプ５１から読み取ったカード識別データと、ＩＣから読み取ったカード識別データとを照合し、一致しているかどうかを判定する（ｓ１５）。不正カード判定機能部２５が、ｓ１５にかかる判定を行う。
【００６２】
カード処理ユニット１は、ｓ１５でカード識別データが一致していないと判定すると、磁気ストライプ５１、またはＩＣの少なくとも一方について、データの書き換えが行われた不正なカード５０であると判定し、不正カード通知処理を行う（ｓ１９）。ｓ１９では、磁気ストライプ５１から取得したカード識別データ、およびＩＣから取得したカード識別データをカード会社に通知する処理を行う。カード会社は、カード処理ユニット１からの通知に基づいて、不正なカード５０をネガ登録する等の処理を行う。また、ｓ１９では、係員等にその旨を通知し、不正なカード５０を使用した使用者を捕らえる等の対応を促すようにしてもよい。カード処理ユニット１は、ｓ１９で不正カード通知処理を行うと、ｓ１１でエラー処理を行い（ｓ１１）、本処理を終了する。したがって、カード処理ユニット１は、磁気ストライプ５１、またはＩＣの少なくとも一方について、データの書き換えが行われた不正なカード５０が使用されると、決済処理を禁止するので、カード取引のセキュリティを向上させることができる。
【００６３】
また、カード処理ユニット１は、ｓ１４で磁気データが取得できていないと判定した場合、またはｓ１５でカード識別データが一致していると判定した場合、ＩＣデータ読取部５がＩＣからセキュリティデータを取得しているかどうかを判定する（ｓ１６）。カード処理ユニット１は、ＩＣからセキュリティデータを取得していれば、第２の決済処理を行い（ｓ１７）、ｓ９でカードを返却する。ｓ１７にかかる第２の決済処理は、第２の決済処理機能部２２が行う。第２の決済処理機能部２２は、上位装置から入力された取引金額を含む取引データと、カード５０のＩＣから読み取ったカード識別データ、およびセキュリティデータを含む取引金額の決済の認証要求をカード会社の認証センタに送信する。カード会社の認証センタとの通信は、通信部７において行われる。
【００６４】
カード会社の認証センタは、送信されてきた取引金額の決済の認証要求について、決済の可否を判定した認証結果をカード処理ユニット１に返信する。第２の決済処理機能部２２は、カード会社から認証結果を上位装置に入力する。カード処理ユニット１は、通信部７で受信した認証結果を、入出力部６において上位装置に入力する。
【００６５】
このように、カード処理ユニット１は、ＩＣデータ読取部５がＩＣからカード識別データ、およびセキュリティデータを取得していれば、これらのデータを用いて決済処理を行うので、カード取引のセキュリティを低下させることがない。
【００６６】
また、カード処理ユニット１は、ＩＣデータ読取部５がノイズの発生等によってＩＣからセキュリティデータを取得していなければ、第３の決済処理を行い（ｓ１８）、ｓ９でカードを返却する。ｓ１８にかかる第３の決済処理は、第３の決済処理機能部２３が行う。第３の決済処理機能部２３は、上位装置から入力された取引金額を含む取引データと、カード５０のＩＣから読み取ったカード識別データを含む取引金額の決済の認証要求をカード会社の認証センタに送信する。カード会社の認証センタとの通信は、通信部７において行われる。
【００６７】
カード会社の認証センタは、送信されてきた取引金額の決済の認証要求について、決済の可否を判定した認証結果をカード処理ユニット１に返信する。第３の決済処理機能部２３は、カード会社から認証結果を上位装置に入力する。カード処理ユニット１は、通信部７で受信した認証結果を、入出力部６において上位装置に入力する。
【００６８】
このように、カード処理ユニット１は、ＩＣデータ読取部５がノイズの発生等によってＩＣからのセキュリティデータの取得に失敗しても、ＩＣからカード識別データを取得していれば、ＩＣから取得したカード識別データを用いて決済処理を行うので、カード取引のセキュリティを低下させることがない。
【００６９】
通常、磁気ストライプ５１に記録されている磁気データの書き換えは、ＩＣに記録されているＩＣデータの書き換えに比べて簡単に行える。すなわち、ＩＣに記録されているＩＣデータは、磁気ストライプ５１に記録されている磁気データよりもセキュリティが高い。この例にかかるカード処理ユニット１は、上述したように、取引金額の決済処理の認証に、磁気ストライプ５１から読み取ったカード識別データよりも、ＩＣから読み取ったカード識別データを優先して用いる構成であるので、セキュリティの低下を防止できる。
【００７０】
また、カード識別データが一致していないときには、偽造された不正カードであると判定し、このカードをカード会社や係員等に通知するので、偽造カードの使用に対する、防犯効果の向上も図れる。
【００７１】
また、上述の第１の決済処理、第２の決済処理、および第３の決済処理では、セキュリティの向上を図るために、利用者にＰＩＮ番号を入力させるようにしてもよい。
【００７２】
なお、上記の例では、図２に示したように、挿入口側から、磁気ヘッド４ａ、および接点端子５ａがこの順に配置されているが、この配置は逆であってもよい。
【００７３】
また、上記の例では、接触式のＩＣを設けたカード５０を例にしたが、非接触式のＩＣを設けたカードであってもよい。この場合、ＩＣデータ読取部５は、接点端子５ａではなく、ＩＣ読取位置に位置するカード５０との間で無線通信を行う無線通信部を備えればよい。
【００７４】
さらには、この無線通信部を備える非接触式ＩＣデータ読取部を追加的に設け、接触式ＩＣを設けたカード５０、および非接触式ＩＣを設けたカード５０の両方が使用できる構成にしてもよい。この場合、挿入口付近を非接触式ＩＣとの無線通信エリアとし、カード５０の搬送路に磁気ヘッド４ａおよび接点端子５ａを配置すればよい。
【符号の説明】
【００７５】
１…カード処理ユニット
２…制御部
３…カード搬送部
４…磁気データ読取部
４ａ…磁気ヘッド
５…ＩＣデータ読取部
５ａ…接点端子
６…入出力部
７…通信部
２１…第１の決済処理機能部
２２…第２の決済処理機能部
２３…第３の決済処理機能部
２４…カード種別判定機能部
２５…不正カード判定機能部
２６…決済処理禁止機能部
５０…カード
５１…磁気ストライプ
５２…ＩＣ接点
【図１】
2017162343.tif 000003
【図２】
2017162343.tif 000004
【図３】
2017162343.tif 000005
【図４】
2017162343.tif 000006
【図５】
2017162343.tif 000007
【図６】
2017162343.tif 000008